(57)【特許請求の範囲】
【請求項１】
データを格納可能な携帯型メモリが着脱自在に装着されるとともに、装着部分が前記携帯型メモリと実質的に同形状であってデータ格納以外の機能を実現するための特殊構成部が付随する特殊携帯型部材が着脱自在に装着可能なカメラであって、
前記携帯型メモリおよび前記特殊携帯型部材が選択的に挿入される差込口を有する装着部と、
前記カメラに開閉自在に設けられ、前記装着部を前記携帯型メモリが装着された状態で閉塞または露出可能なカバー部材とを備えたカメラであって、
前記カバー部材は、
前記差込口に対応するサイズの開口部を有する第１のカバー部材と、
前記開口部を塞ぐとともに前記特殊携帯型部材を前記差込口へ挿入するために開閉する第２のカバー部材とを備え、
前記第２のカバー部材が、前記特殊携帯型部材の挿入動作に従って、前記第１のカバー部材が閉じた状態で開くことを特徴とするカメラ。
【請求項２】
前記第１のカバー部材が、軸回転により開閉することを特徴とする請求項１に記載のカメラ。
【請求項３】
前記第２のカバー部材が、軸回転により開閉することを特徴とする請求項１に記載のカメラ。
【請求項４】
前記第２のカバー部材が、前記挿入動作の際に前記特殊携帯型部材が前記第２のカバー部材を押す力の作用によって開くことを特徴とする請求項１に記載のカメラ。
【請求項５】
前記第２のカバー部材が、前記差込口の方へ退避するように開くことを特徴とする請求項１に記載のカメラ。
【請求項６】
前記第２のカバー部材が、前記第２のカバー部材を閉じる方向へ付勢させる弾性部材であって、前記挿入動作に従って弾性変形する弾性部材を有することを特徴とする請求項４ないし請求項５のいずれかに記載のカメラ。
【請求項７】
前記差込口が、カメラ上面に形成されていることを特徴とする請求項１に記載のカメラ。
【請求項８】
前記携帯型メモリがメモリカードであり、前記特殊携帯型部材がカード形状であることを特徴とする請求項１に記載のカメラ。
【請求項９】
データを格納可能な携帯型メモリが着脱自在に装着されるとともに、装着部分が前記携帯型メモリと実質的に同形状であってデータ格納以外の機能を実現するための特殊構成部が付随する特殊携帯型部材が着脱自在に装着可能な携帯機器であって、
前記携帯型メモリおよび前記特殊携帯型部材が選択的に挿入される差込口を有する装着部と、
前記携帯機器に開閉自在に設けられ、前記装着部を前記携帯型メモリが装着された状態で閉塞または露出可能なカバー部材とを備えた携帯機器であって、
前記カバー部材は、
前記差込口に対応するサイズの開口部を有する第１のカバー部材と、
前記開口部を塞ぐとともに前記特殊携帯型部材を前記差込口へ挿入するために開閉する第２のカバー部材とを備え、
前記第２のカバー部材が、前記特殊携帯型部材の挿入動作に従って、前記第１のカバー部材が閉じた状態で開くことを特徴とする携帯機器。
【発明の詳細な説明】
【０００１】
【発明の属する技術分野】
本発明は、メモリカードなどの携帯型メモリが着脱自在に装着されるカメラやＰＤＡ（Personal Digital Assistant）、あるいは携帯電話等の携帯機器に関し、特に、携帯機器におけるメモリの装着機構に関する。
【０００２】
【従来の技術】
従来のデジタルカメラやＰＤＡといった携帯機器では、コンパクトフラッシュ（ＣＦ）カード（登録商標）、セキュアデジタル（ＳＤ）メモリカードなどのメモリカードが着脱自在に装着可能である。携帯機器が屋外で使用されることから、メモリカードの保護および防塵目的でカバー部材が設けられている場合があり、メモリカードが装着されると、メモリカードを覆って装着部を塞ぐようにカバー部材が閉じる。
【０００３】
近年では、通常のメモリカードにスキャナ機能、無線通信機能、あるいはＧＰＳ（Global Positioning System）などの機能が備えられた特殊なカード（以下では、特殊カードという）が開発されている。特殊カードには、その機能を実現するための構成部分がカードに組み込まれている。
【０００４】
【発明が解決しようとする課題】
このような特殊メモリカードを携帯機器に装着させる場合、機能実現のためカードに付随する構成部が障害となり、特殊メモリカードをカバーすることができない。そのため、ゴミや埃等が装着部に付着して、機器の故障を招く恐れがある。
【０００５】
そこで本発明では、通常のメモリカードとともに特殊カードにも対応可能な、優れた防塵性を備えた携帯機器（特にカメラ）を提供することを目的とする。
【０００６】
【課題を解決するための手段】
本発明のカメラは、データを格納可能な携帯型メモリが着脱自在に装着されるとともに、データ格納以外の機能を実現するための特殊構成部が付随する特殊携帯型部材が着脱自在に装着可能なカメラである。カメラには、携帯型メモリおよび特殊携帯型部材が選択的に挿入される差込口を有する装着部が設けられている。カメラとしては、例えば静止画像を記録するデジタルスチルカメラであって、レンズ一体型のコンパクト型デジタルカメラや、交換レンズを使用する一眼レフ方デジタルカメラが適用される。あるいは、動画像を記録できるデジタルムービーカメラであってもよい。
【０００７】
携帯型メモリは、カメラに加え、モバイルコンピュータ、あるいはＰＤＡといった携帯機器にも装着可能である着脱自在なメモリであり、例えば、コンパクトフラッシュカード、ＳＤメモリカードなどが適用される。携帯型メモリには、画像データや音声データなどのデジタルデータが記録可能である。一方、特殊携帯型部材では、差込口へ挿入される装着部分が携帯型メモリの形状と実質的に同じであり、携帯型メモリがカード形状である場合、特殊携帯型部材はカード状に形成される。カード状の特殊携帯型部材としては、例えば、遠距離通信／近距離通信機能、ＧＰＳ機能を備えたものがあり、メモリを内蔵しているものもあれば、内蔵していないものもある。
【０００８】
特殊構成部の存在により、特殊携帯型部材の全体的形状は、携帯型メモリの全体的形状と異なる。通信機能を備えた特殊携帯型カードの場合、アンテナを内蔵する構成部が通常のメモリカードに付随されており、その構成部の分だけサイズが異なる。長手方向に沿ってメモリカードと比較すると、アンテナ内蔵の部分だけ余分にサイズが大きい。
【０００９】
本発明のカメラは、カメラに開閉自在に設けられ、装着部を携帯型メモリが装着された状態で閉塞または露出可能なカバー部材を有しており、携帯型メモリが装着されると、カバー部材が携帯型メモリを塞ぐため閉じる。カバー部材が開くと、装着型メモリが露出され、携帯型メモリの取り出しが可能となる。カバー部材は、第１のカバー部材と第2のカバー部材とを備えている。第１のカバー部材は差込口に対応するサイズの開口部を有しており、第２のカバー部材は、開口部を塞ぐために閉じる一方、特殊携帯型部材を差込口へ挿入するために開く。第２のカバー部材が開くと、特殊携帯型部材は開口部を介して差込口に挿入される。携帯型メモリが装着された状態においては、第2カバー部材は第1カバー部材の開口部を塞いだ状態で維持され、カバー部材は携帯型メモリを覆って装着部を塞ぐことができる。
【００１０】
本発明のカメラでは、第２のカバー部材が、特殊携帯型部材の挿入動作に従い、第１のカバー部材が閉じた状態で開く。開口部のサイズが差込口のサイズに対応しているため、特殊携帯型部材が差込口に挿入されると、特殊携帯型部材のうち特殊構成部を除いた装着部分は第１のカバー部材によって覆われて閉塞される。したがって、特殊携帯型部材を装着した場合においても埃や塵などが差込口に入ることがなく、電気回路の不具合による機器の故障を防ぐことができる。
【００１１】
簡易な構成によって装着機構を実現することを考慮すれば、第１のカバー部材は、軸回転により開閉するのがよく、また、第２のカバー部材も軸回転により開閉するのがよい。第１および第２のカバー部材が軸回転することから、開閉作業をスムーズに行うことができる。また、できるだけカバー部材がカメラ全体の中でスペースをとらないようにするため、第２のカバー部材が第１のカバー部材に取り付けられた状態でカバー部材を構成するのがよい。この場合、第２のカバー部材は第１のカバー部材の開閉に連動する。
【００１２】
オペレータが特別な操作をすることなく第２のカバー部材の開閉を行えるのが望ましい。この場合、特殊携帯型部材を差込口に挿入する動作に応じて第２のカバー部材が開くようにするのがよい。したがって、第２のカバー部材は、挿入動作の際に特殊携帯型部材が第２のカバー部材を押す力の作用によって開くことが望ましい。これにより、オペレータは開口部を塞いでいる第２のカバー部材に対して特殊携帯型部材を押し込むだけでよい。また、第２のカバー部材が開くことによって携帯機器の操作性、グリップ性が損なわれないようにするため、第２のカバー部材は、特殊携帯型部材の挿入方向、すなわち差込口の方へ退避するように開くことが望ましい。この場合、第２のカバー部材は、第１のカバー部材、すなわちカメラ表面から突出することがない。
【００１３】
簡易な構成によって第２のカバー部材を開閉させるため、第２のカバー部材は、弾性部材を適用して開閉するのがよい。例えば、第２のカバー部材は、第２のカバー部材を閉じる方向へ付勢させる弾性部材であって、挿入動作に従って弾性変形する弾性部材を有する。この場合、特殊携帯型部材が第２のカバー部材を押すと、その押す力によって第２のカバー部材が開く。弾性部材としては、例えばコイルバネを適用すればよい。
【００１４】
特殊携帯型部材を装着した時にカメラのグリップ性能、操作に悪影響を与えないようにするため、差込口はカメラ上面に形成されていることが望ましい。カメラ側面、背面に差込口が形成されていないことにより、オペレータはカメラをしっかりと保持することができる。
【００１５】
また、本発明の携帯機器は、データを格納可能な携帯型メモリが着脱自在に装着されるとともに、装着部分が携帯型メモリと実質的に同形状であってデータ格納以外の機能を実現するための特殊構成部が付随する特殊携帯型部材が着脱自在に装着可能な携帯機器であって、携帯型メモリおよび特殊携帯型部材が選択的に挿入される差込口を有する装着部と、携帯機器に開閉自在に設けられ、装着部を携帯型メモリが装着された状態で閉塞または露出可能なカバー部材とを備えた携帯機器であって、カバー部材は、差込口に対応するサイズの開口部を有する第１のカバー部材と、開口部を塞ぐとともに特殊携帯型部材を差込口へ挿入するために開閉する第２のカバー部材とを備え、第２のカバー部材が、特殊携帯型部材の挿入動作に従って、第１のカバー部材が閉じた状態で開くことを特徴としている。
【００１６】
【発明の実施の形態】
以下では、図面を参照して本発明の実施形態であるデジタルスチルカメラについて説明する。
【００１７】
図１は、本実施形態であるデジタルスチルカメラを後方から示した斜視図である。
【００１８】
デジタルスチルカメラ１０は、メモリカードの１つとして規格化されているセキュアデジタル（ＳＤ）メモリカード（ここでは図示せず）が着脱自在に装着可能なコンパクト型デジタルスチルカメラであり、画像データ、音声データなどのデジタルデータをＳＤメモリカードに記録することができる。本実施形態では、ＳＤメモリカードを装着させる装着部１７が後方（撮影者側）から見てカメラ右側上部に設けられている。デジタルスチルカメラ１０の上面１０Ｕにはカードカバー１７Ａが設けられており、カードカバー１７Ａを開くことによってＳＤメモリカードが装着可能となる。また、後述するように、カードカバー１７Ａには、付随カバー１７Ｂが設けられている。本実施形態では、カードカバー１７Ａおよび付随カバー１７Ｂによってカバー部材が構成されている。カメラ上面１０Ｕには、レリーズボタン１４、モードダイアル２１、パワースイッチボタン１５なども設けられており、モードダイアル２１では、撮影モード、再生モード、露出設定モードなどのモード設定が行われる。撮影モードが設定されている場合、レリーズボタン１４を押下することによって被写体像が画像データとして記録される。
【００１９】
デジタルスチルカメラ１０の側面１０Ｓには、カードカバー１７Ａを開けるための開放レバー１９が設けられており、ＳＤメモリカード取り外しのために開放レバー１９が操作される。デジタルスチルカメラ１０の背面１０Ｂには、十字型の設定ボタン２０、ズームボタン２２、液晶モニタ１６、光学ファインダの接眼部１２が設けられている。モードダイアル２１において再生モードが選択されている場合、撮影された被写体像が液晶モニタ１６に表示される。設定ボタン２０は、モードダイアル２１において露出設定モードが選択されている時などに操作され、所定の操作により露出条件を設定し、カメラのカスタマイズなどを行う事ができる。ズームボタン２２は、カメラ前面に取り付けられた撮影光学系（ここでは図示せず）をズーミングするために操作される。
【００２０】
図２は、デジタルスチルカメラ１０のブロック図である。
【００２１】
ＣＰＵ（Central Processing Unit）を含むシステムコントロール回路５０はデジタルスチルカメラ１０を制御し、レリーズ半押しスイッチ５１、レリーズ全押しスイッチ５３、モードダイアルスイッチ５５などがシステムコントロール回路５０に接続されている。モードダイアルスイッチ５５では、モードダイアル２１において選択されるモードに応じた信号がシステムコントロール回路５０へ送られる。また、ズームスイッチ５９、設定スイッチ５７では、それぞれズームボタン２２、設定ボタン２０に対する操作に応じて発生する信号がシステムコントロール回路５０へ送られる。
【００２２】
被写体を撮影するためにレリーズボタン１４が半押しされると、レリーズ半押しスイッチ５１がＯＮ状態となって半押し操作が検出され、カメラ前面に設けられた露出検出器６３において被写体の明るさ、被写体との距離などが検出される。レリーズボタン１４がさらに全押しされると、レリーズ全押しスイッチ５３がＯＮ状態となって全押し操作が検出される。まず、焦点調整のために撮影光学系１３内のフォーカスレンズがレンズ駆動回路６４によって駆動される。そして、システムコントロール回路５０から出力される制御信号に基いてシャッタ２８が開き、被写体から撮影光学系１３を通った光がＣＣＤ４０に到達する。また、シャッタ２８は、露出調整のために所定の開度まで所定期間だけ開く。レンズ駆動回路６４、シャッタ２８は露出制御回路５８によって制御されており、システムコントロール回路５０からの制御信号に基いてシャッタ２８、撮影光学系１３を駆動させる。被写体像がＣＣＤ４０の受光面に形成されることにより、被写体像に応じたアナログの画像信号が発生する。ＣＣＤ４０はＣＣＤ駆動回路５２によって駆動されており、発生した画像信号は、ＣＣＤ４０から読み出されてアンプ回路４２へ送られる。
【００２３】
ＣＣＤ４０から読み出された画像信号がアンプ回路４２において増幅処理されると、Ａ／Ｄ変換器４４において、アナログの画像信号がデジタルの画像信号に変換され、画像処理回路４６に送られる。画像処理回路４６では、ホワイトバランス、ガンマ補正処理などの様々な信号処理がデジタル画像信号に対して施される。処理された画像信号は、一度フレームメモリ４５に格納された後、システムコントロール回路５０を介して記録制御回路６２へ送られる。記録制御回路６２では、画像信号に対して圧縮処理が施され、圧縮された画像信号はＳＤメモリカード（以下では、符号６０Ａで表す）に記録される。
【００２４】
本実施形態では、後述するように、カメラ１０に装着される形状部分がＳＤメモリカード６０Ａと同一であって近距離通信機能などを備えた特殊ＳＤカード６０Ｂをカメラ１０に装着することが可能である。特殊ＳＤカード６０Ｂには通信機能やＧＰＳ機能など特殊機能を実現するためにコントローラモジュールが内蔵されており、近距離通信の規格としては、ここではブルートゥース（Bluetooth）が適用される。特殊ＳＤカード６０Ｂが装着された場合、システムコントロール回路５０では特殊ＳＤカード６０Ｂの装着が検知される。そして、圧縮された画像データは、通信機能を備えた機器（モバイルコンピュータ、携帯電話など）に向けて電波となって発信される。
【００２５】
モードダイアル２１において再生モードが選択されている場合、ＳＤメモリカード６０Ａから圧縮された画像信号が読み出され、記録制御回路６２において伸張処理される。そして、画像処理回路４６を介して一時的にフレームメモリ４５に格納された後、ＬＣＤドライバ４７へ送られる。ＬＣＤドライバ４７では、送られてきた画像信号に基いて液晶モニタ１６を制御し、これにより、記録された被写体像が液晶モニタ１６に表示される。なお、撮影モード設定時において、動画像をリアルタイムで液晶モニタ１６に表示するようにしてもよい。
【００２６】
図３は、デジタルスチルカメラ１０のカードカバー１７Ａを上から見た平面図である。図４は、ＳＤメモリカード６０Ａが装着された時の装着部１７の概略的な断面図である。そして、図５は、特殊ＳＤカード６０Ｂが装着された時の装着部１７の概略的な断面図である。
【００２７】
カメラ上面１０Ｕに設けられたカードカバー１７Ａは軸M周りに回転することによって開閉する。カードカバー１７Ａは回転用バネ（図示せず）によって開く方向に付勢されているが、開放レバー１９により閉じた状態で係止されている。カードカバー１７Ａには開口部１７Ｃが形成されており、開口部１７Ｃのサイズおよび形成エリアは、差込口１７Ｓのサイズおよび形成エリアに対応する。カードカバー１７Ａに取り付けられた付随カバー１７ＢはバネＢＮを有しており、バネＢＮが巻かれている軸Ｋ周りに付随カバー１７Ｂが軸回転する。バネＢＮは、常に閉方向、すなわち開口部１７Ｃを塞ぐ方向へ付随カバー１７Ｂを付勢する。したがって、付随カバー１７Ｂは、通常閉じた状態に維持される（図３参照）。付随カバー１７Ｂの間挿部１７Ｄは、付随カバー１７Ｂが閉じた状態において開口部１７Ｃを塞ぐ。
【００２８】
ＳＤメモリカード６０Ａあるいは特殊ＳＤカード６０Ｂが差し込まれる差込口（カードスロット）１７Ｓは、カメラ上面１０Ｕにおいてレリーズボタン１４の後方（撮影者側）に形成されている。ＳＤメモリカード６０Ａあるいは特殊ＳＤカード６０Ｂが差込口１７Ｓに差し込まれると、ＳＤメモリカード６０Ａ（特殊ＳＤカード６０Ｂ）の端部とカメラ１０内の回路基板（図示せず）とが電気的に接続され、システムコントロール回路５０との間でデータ送受信可能となる。
【００２９】
図４に示すように、ＳＤメモリカード６０Ａを使用する場合、オペレータの操作によってカードカバー１７Ａが開き、ＳＤメモリカード６０Ａが差込口１７Ｓに挿入される。オペレータが開放レバー１９を前方へ操作すると、係止状態が解除されることにより、カードカバー１７Ａは付随カバー１７Ｂと一体になって撮影者側、すなわちカメラの背面１０Ｂへ向かって開く（図４破線参照）。ＳＤメモリカード６０Ａが挿入された後、カードカバー１７Ａが閉じられる。その結果、ＳＤメモリカード６０Ａは、カードカバー１７Ａによって塞がれ、覆われる。なお、ＳＤメモリカード６０Ａの長手方向サイズに合わせて差込口１７Ｓの深さおよびカードカバー１７Ａが形成する内部空間１７Ｋの大きさが定められており、オペレータが所定以上の力でＳＤメモリカード６０を差込口１７Ｓへ押し込むことにより、ＳＤメモリカード６０Ａの複数の配列ピン（図示せず）とカメラ１０内部の回路基板の接点部（図示せず）とが電気的に接続される。なお、図４では、本来図示されないバネＢＮを図示している。
【００３０】
一方、通信機能を備えた特殊ＳＤカード６０Ｂは、通常のＳＤメモリカード６０Ａの形状にアンテナを内蔵した付随部ＫＰが取り付けられた構成になっており（図５参照）、付随部ＫＰは、内部空間１７Ｋ内に収まらない。すなわち、特殊ＳＤカード６０Ｂが装着された場合、カードカバー１７Ａによって特殊ＳＤカード６０Ｂを塞ぐことができない。本実施形態では、特殊ＳＤカード６０Ｂを使用する場合、オペレータは特殊ＳＤカード６０Ｂを付随カバー１７Ｂの間挿部１７Ｄの表面に当て、差込口１７Ｓの方へ押し込む。バネＢＮは、オペレータの特殊ＳＤカード６０Ｂを押し込む力により、退避する方向、すなわち差込口１７Ｓの方へ押し戻される。その結果、付随カバー１７Ｂが開く。開口部１７Ｃのサイズおよび形成エリアが差込口１７Ｓの開口サイズおよび形成エリアに対応していることから、特殊ＳＤカード６０Ｂは、カードカバー１７Ａを閉じた状態でそのまま差込口１７Ｓに差し込まれる。図５に示すように、特殊ＳＤカード６０Ｂの付随部ＫＰ以外の部分は、カードカバー１７Ａにより塞がれる。
【００３１】
このように本実施形態によれば、ＳＤメモリカード６０Ａを塞ぐように覆うカードカバー１７Ａに付随カバー１７Ｂが設けられており、特殊ＳＤカード６０Ｂを装着する時には、カードカバー１７Ａが閉じた状態で付随カバー１７Ｂのみ開く。
【００３２】
本実施形態では、バネＢＮの作用によって付随カバー１７Ｂが開閉するように構成されているが、それ以外の弾性部材を用いて開閉するようにしてもよい。また、付随カバー１７Ｂを挿入方向とは逆の方向へ開くように構成してもよい。
【００３３】
特殊ＳＤカード６０Ｂが付随カバー１７Ｂを押す力の作用によって付随カバー１７Ｂを開ける代わりに、スイッチなどの操作によって付随カバー１７Ｂが開くように構成してもよい。また、付随カバー１７Ｂがカードカバー１７Ａに取り付けられる代わりにカメラ本体に取り付けられる構成にしてもよい。
【００３４】
本実施形態では、付随カバー１７Ｂは軸回転によって開閉するが、スライド式に開閉するなど他の方式によって開閉するように構成してもよい。カードカバー１７Ａについても同様である。また、差込口１７Ｓは、カメラ上面１０Ｕ以外の面（側面１０Ｓなど）に形成してもよい。
【００３５】
本実施形態では、メモリカードとしてＳＤメモリカードが適用されているが、その他メモリカード（コンパクトフラッシュなど）を適用させてもよい。また、カード形式に限定されず、携帯機器に着脱自在に装着可能な携帯機能を有するメモリであればよい。
【００３６】
本実施形態では、カメラとしてコンパクト型デジタルスチルカメラが適用されているが、一眼レフ型のデジタルスチルカメラに適用してもよい。さらには、動画像を記録するデジタルムービーカメラに適用させてもよい。さらには、銀塩フィルム使用のカメラであって、メモリカードなどの携帯型メモリが装着可能なカメラに適用させてもよい。
【００３７】
本実施形態では、携帯機器としてカメラが適用されているが、それ以外の携帯機器（ＰＤＡ、モバイルコンピュータ、携帯電話など）に対して本実施形態におけるメモリの装着機構を適用させてもよい。
【００３８】
【発明の効果】
以上のように本発明によれば、通常のメモリカードとともに特殊カードにも対応し、優れた防塵性を発揮する。
【図面の簡単な説明】
【図１】本実施形態であるデジタルスチルカメラを後方から示した斜視図である。
【図２】デジタルスチルカメラのブロック図である。
【図３】デジタルスチルカメラのカードカバーを上から見た平面図である。
【図４】ＳＤメモリカードが装着された時の装着部の概略的な断面図である。
【図５】特殊ＳＤカードが装着された時の装着部の概略的な断面図である。
【符号の説明】
１０  デジタルスチルカメラ
１０Ｕ  カメラ上面
１７  装着部
１７Ａ  カードカバー（第１のカバー部材）
１７Ｂ  付随カバー（第２のカバー部材）
１７Ｃ  開口部
１７Ｓ  差込口
６０Ａ  ＳＤメモリカード（携帯型メモリ）
６０Ｂ  特殊ＳＤカード（特殊携帯型部材）
ＢＮ  バネ（弾性部材）
ＫＰ  付随部（特殊構成部）
【図１】
0003843035.tif 000002
【図２】
0003843035.tif 000003
【図３】
0003843035.tif 000004
【図４】
0003843035.tif 000005
【図５】
0003843035.tif 000006